(57)【特許請求の範囲】
【請求項１】
誘電体の同一面上で、下記条件（１）〜（３）の少なくとも１つを満たす閉曲線の形状の内周を有する外側電極と、前記閉曲線の形状の外周を有する内側電極とが、前記内周の端面と前記外周の端面同士を対向させて配設されていることを特徴とするコンデンサ。
（１）正方形の枠内に配置され、該枠の２つの対角線に対して線対称な閉曲線である。
（２）前記枠を４つ正方形状に並べた大枠内に配置され、各々の枠内に配置した前記閉曲線の前記大枠の対角線と前記大枠の中心点側で交わる部位に開口部を形成するとともに互いに隣接する前記閉曲線の前記開口部同士を前記大枠の２つの対角線に対して線対称な補助曲線で接続して成り、前記大枠の２つの対角線に対して線対称な閉曲線である。
（３）前記枠内または前記大枠内の少なくとも一部を縮小または拡大し、前記（１）の閉曲線または前記（２）の閉曲線を平面上または曲面上に変形させて配置した閉曲線である。
【発明の詳細な説明】
【０００１】
【発明の属する技術分野】
本発明は、印刷配線回路やマルチチップモジュール・ハイブリット回路等の印刷回路に好適な、誘電体の同一面上で所定の閉曲線の形状を有する２つの電極の端面同士を対向配置させて成るコンデンサに関するものである。
【０００２】
【従来の技術】
従来より、各種の電気回路や電子回路において容量素子として使用されるコンデンサは、通常は２つの平行平板状の導体から成る電極をそれらの平面を対向させて配置することにより、あるいはそのような平行平板状の電極を複数組み合わせて接続することにより、あるいは対向させた平行平板状の電極間に誘電率の高い誘電体を挿入して容量値を増すこと等により、集中定数回路素子として、目的の容量を有する電子部品として形成されている。
【０００３】
この場合、電極の面積をＳとし、それらが間隔ｄで配置されており、その間が比誘電率εｒ  の誘電体で満たされているとすると、その容量値Ｃは、
Ｃ＝εｒ  ×ε０  ×Ｓ／ｄ
となる。
【０００４】
また、印刷配線回路やマルチチップモジュール・ハイブリット回路等の印刷回路基板や多層回路基板において回路素子としてコンデンサを形成する場合、容量値があまり高くないものであれば、それら誘電体層を積層して成る回路基板に内蔵させるコンデンサとして、層間に平行平板状の導体層から成る電極を誘電体層を介して対向させて設けることで形成されている。この場合の容量値は上記と同様の式で表わされる。
【０００５】
さらに、容量値が非常に小さいものであれば、基板を構成する誘電体層の同一平面上に導体層から成る２つの電極をそれらの端面同士を対向させて並べて、いわゆるインターディジタル型（櫛型）コンデンサとして純２次元的な形状で形成されていた。
【０００６】
このようなコンデンサは、通常は誘電体層の面上に微小な回路素子として形成され、厚みｔすなわち対向させた端面の高さが数μｍ〜数十μｍ、長さＬすなわち対向させた端面の全長がせいぜい十数ｍｍ〜数十ｍｍ程度であり、また多くは基板の表面に形成されていて端面同士の間のεｒ  も小さいため、このような形状のコンデンサにより高い容量値を得ることは困難であった。
【０００７】
従って、従来の通常のコンデンサは、要求される容量値に応じて以上のようなそれぞれの形状を選択し、容量値が小さい順から、導体層の端面同士を対向させたインターディジタル型等の２次元形状、平行平板状の電極等を対向させた２．５  次元形状、さらに２．５  次元形状のものを複数組み合わせた３次元形状という構造の回路素子・回路部品として形成され使用されてきた。
【０００８】
【発明が解決しようとする問題点】
しかしながら、以上のような従来のコンデンサでは、要求される容量値が決まるとそれを実現するための次元が決まってしまうこととなるため、次元の低い構造で、かつ実用的な寸法で大きな容量値が得られるコンデンサを実現することが困難であるという問題点があった。例えば、インターディジタル型の２次元形状のコンデンサでは通常は容量値が１ｐＦ程度であり、多層回路基板に内蔵された平行平板状の導体層による２．５  次元形状のコンデンサでは比誘電率の高い誘電体層を使用しても通常は１０ｐＦ程度のものを実現することさえ困難であった。
【０００９】
これに対し、さらに容量値を増すためには、複数の平行平板状の電極を組み合わせる、あるいは大面積の平行平板状の電極をロール状に丸めてコンデンサを形成するという手段が採られるが、この場合には形状が３次元形状となるため寸法が大きくなってしまい、回路素子の高集積化や高密度実装化が進められている回路基板には使用することができず、また実際にコンデンサを生産する際のプロセスが複雑となるという制約もあった。
【００１０】
本発明は上記事情に鑑みて本発明者が鋭意研究に努めた結果完成されたものであり、その目的は、厚膜印刷技術や薄膜形成技術といった回路基板の製造に容易に適用できる技術でもって形成でき、各種の回路基板に対して高集積化や高密度実装化に対応して形成するのに適した２次元形状でありながら、上記の従来の２．５  次元形状のコンデンサによる以上の大きな容量値を得ることができるコンデンサを提供することにある。
【００１１】
【問題点を解決するための手段】
本発明のコンデンサは、上記のような問題点を解決するため、２．５  次元形状あるいは３次元形状のコンデンサで得られるのと同等以上の容量値を、より次元を低くした２次元形状のコンデンサで、しかも小さい寸法で得ることができるものである。本発明のコンデンサは、最小の次元である２次元形状のコンデンサであるインターディジタル型コンデンサと同様の２次元形状で、より次元の高い形状の容量値を実現させたものである。
【００１２】
すなわち、本発明のコンデンサは、誘電体の同一面上で、下記条件（１）〜（３）の少なくとも１つを満たす閉曲線の形状の内周を有する外側電極と、前記閉曲線の形状の外周を有する内側電極とが、前記内周の端面と前記外周の端面同士を対向させて配設されていることを特徴とするものである。
（１）正方形の枠内に配置され、この枠の２つの対角線に対して線対称な閉曲線である。
（２）前記枠を４つ正方形状に並べた大枠内に配置され、各々の枠内に配置した前記閉曲線の前記大枠の対角線と前記大枠の中心点側で交わる部位に開口部を形成するとともに互いに隣接する前記閉曲線の前記開口部同士を前記大枠の２つの対角線に対して線対称な補助曲線で接続して成り、前記大枠の２つの対角線に対して線対称な閉曲線である。
（３）前記枠内または前記大枠内の少なくとも一部を縮小または拡大し、前記（１）の閉曲線または前記（２）の閉曲線を平面上または曲面上に変形させて配置した閉曲線である。
【００１３】
本発明のコンデンサは、誘電体のある同一面上で、面の寸法に対し非常に小さい間隔の間隙をもって、外側電極と内側電極とを構成する平行２線の導体線あるいは２枚の導体膜が所定の形状とされたその端面同士を対向させて配設されて、それによりその端面同士の間に容量を形成しているものであり、これら平行２線の導体線あるいは２枚の導体膜は誘電体基板等の誘電体の同一面上に厚膜印刷技術や薄膜形成技術等の適当な技術を用いて容易に形成して配設することができる。
【００１４】
そして、外側電極の内周および内側電極の外周を上記の各条件を満たす閉曲線の形状とすると、この閉曲線は誘電体の同一面上に上記の条件に示された規則に従って交差することなく任意に長くすることのできる閉曲線であることから、その長さの間隙をもって２つの電極の端面同士を２次元形状で対向配置させることができ、それによって所望の高い容量値を容易に実現することができる。
【００１５】
このように、本発明のコンデンサによれば、誘電体の同一面上で、上記（１）〜（３）の少なくとも１つの条件を満たす閉曲線の形状の内周を有する外側電極の内周の端面と、同じ閉曲線の形状の外周を有する内側電極の外周の端面とを対向させて配設したことから、限られた面積の正方形の平面上あるいはその正方形を変形させた平面上または曲面上に、２つの電極の端面が所定の間隙をもって対向する長さを上記の各閉曲線の形状として極めて長くかつ任意に設定することができ、２次元の形状でありながら２．５  次元形状のコンデンサ以上の容量値を得ることができる。
【００１６】
また、本発明のコンデンサによれば、上記の条件（１）を基本として条件（２）を適用することにより、正方形の枠と大枠との面積を同じとした場合にほぼ２倍の長さで外側電極の内周の端面と内側電極の外周の端面とを対向配置することができて、その端面同士の間に形成される容量により高い容量値のコンデンサを容易に実現することができる。さらに、条件（３）を適用することにより誘電体の平坦面上のみならず凹凸等の種々の曲面上にも所望の容量値のコンデンサを容易に実現することができる。
【００１７】
さらに、本発明のコンデンサによれば、誘電体の同一面上で２つの電極の端面同士を対向配置することにより構成されていることから、これら電極を厚膜印刷技術や薄膜形成技術といった回路基板の製造に容易に適用できる技術でもって形成することができるので、各種の回路基板に対してその表面や内部の誘電体層上に高集積化や高密度実装化に対応して形成することができ、しかも最小の次元である２次元形状で、より次元の高い形状のコンデンサと同等以上の高い容量値を実現することができる。
【００１８】
【発明の実施の形態】
以下、本発明のコンデンサについて図面に基づき説明する。
図１（ａ）〜（ｄ）は、それぞれ本発明のコンデンサの実施の形態の一例を説明するための平面図である。
まず、図１（ａ）に示すように、正方形の枠１（実線で示す）内に、この枠１の２つの対角線２（破線で示す）に対して線対称な閉曲線３を配置する。ここでは閉曲線３として円を例示しており、この場合にはさらに枠の中心点を原点として相対向する２辺に平行にｘ軸を、このｘ軸に垂直にｙ軸を配置した場合（それぞれ一点鎖線で示す）に、閉曲線３はこれらｘ軸およびｙ軸に対しても線対称となっている。
【００１９】
ここで、このような単純な閉曲線３では、本発明のコンデンサにより実現しようとする高い容量値は得られないので、この閉曲線３を仮に０次の閉曲線とする。
【００２０】
そこで、図１（ｂ）に示すように、この枠１を４つ正方形状に隙間なく並べて正方形の枠４とすると、この新たな正方形の枠４内には、その中央を原点にｘ軸およびｙ軸を配置した場合にそれぞれ第１・第２・第３・第４象限に図１（ａ）の閉曲線３が配置されることとなる。
【００２１】
次いで、図１（ｃ）に示すように、各々の閉曲線３の新たな正方形の枠４の２つの対角線５（破線で示す）と原点側で交わる部位に、その交点の周りを対角線５に対して、例えば１／４周の長さずつ、線対称にくり抜いて開口部を形成するとともに、互いに隣接する閉曲線３の開口部のそれぞれの端部同士を対角線５に対して線対称である４つの補助曲線６、例えば閉曲線３の開口部の端部同士の距離の１／２を半径とする円弧等で接続して新たな閉曲線７を形成する。これを仮に１次の閉曲線とすると、この閉曲線７の長さは、４つの閉曲線３の長さの和と等しくなる。
【００２２】
これにより、正方形の枠４内に配置され、この枠４の２つの対角線５に対して線対称な閉曲線７が得られる。本発明のコンデンサに対しては、例えばこの閉曲線７が条件（１）を満たす閉曲線となる。
【００２３】
次に、この図１（ｃ）に示す閉曲線７を用いて、図１（ｄ）に示すように、その正方形の枠４を４つ正方形状に並べて正方形の大枠８を形成し、この大枠８内の各々の枠４内に配置した閉曲線７の大枠８の対角線９と大枠８の中心点側で交わる部位に対角線９に対して線対称に開口部を形成するとともに、互いに隣接する閉曲線７の開口部の端部同士を大枠８の２つの対角線９に対して線対称な４つの補助曲線１０で接続する。これを仮に２次の閉曲線とする。
【００２４】
これにより、正方形の大枠８内に配置された、大枠８の２つの対角線９に対して線対称な閉曲線１１が得られる。本発明のコンデンサに対しては、例えばこの閉曲線１１が条件（２）を満たす閉曲線となる。
【００２５】
このとき、大枠８の１辺の長さは枠４の長さの２倍となっており、この閉曲線１１の長さは４つの閉曲線７の長さの和と等しくなっている。そこで、この大枠８を長さで１／２、面積で１／４となるように縮小すれば大枠８はもとの枠４と同じ大きさとなり、閉曲線１１の長さは閉曲線７の長さの２倍となって、同じ面積の正方形の内部に２倍の長さの閉曲線を規則性をもって配置させることができる。
【００２６】
従って、この場合は、閉曲線７の形状の内周を有する外側電極の内周の端面と、閉曲線７の形状の外周を有する内側電極の外周の端面とを対向配置した、すなわち閉曲線７の形状の間隙をもって２つの電極の端面同士を対向配置したコンデンサに対し、閉曲線１１の形状の間隙をもって同様に２つの電極の端面同士を対向配置したコンデンサは、同じ間隔で同じ厚みの２つの電極、すなわち同じ高さの端面同士を対向配置させたとき、ほぼ２倍の容量値を有するものとなる。
【００２７】
そして、枠４あるいは大枠８を縮小または拡大する倍率を任意に設定することにより、その結果得られた閉曲線の形状の内周を有する外側電極の内周の端面と、同じ形状の外周を有する内側電極の外周の端面とを、その閉曲線の形状の間隙をもって対向配置させることにより、所望の任意の容量値を有する２次元形状のコンデンサを得ることができる。
【００２８】
さらに、枠４内に配置された閉曲線７または大枠８内に配置された閉曲線１１に対して、枠４内または大枠８内の少なくとも一部を縮小または拡大することにより、所定の規則性をもって配置した閉曲線を平面上で変形させ、さらに平面上ではなく曲面上に変形させて配置した閉曲線とすることができ、この場合は、誘電体の平坦面上のみならず凹凸等の種々の曲面上にも所望の容量値のコンデンサを容易に実現することができる。
【００２９】
また、コンデンサの容量値は、同じ閉曲線の形状の間隙をもって対向配置した場合にその間隔を変え、また電極の厚みすなわち対向する端面の高さを変えることによっても変化させることができ、それによっても容量値を調整して所望の容量値のコンデンサを得ることができる。
【００３０】
このようにして実現された本発明のコンデンサの例を、図２（ａ）および（ｂ）にそれぞれ平面図で示す。図２において１２は誘電体である。ここでは正方形の平板状の誘電体基板を用いた例を示しているが、この誘電体１２には、多層回路基板の表面や内部の誘電体層等の種々の誘電体を用いることができ、その面の形状も平坦面のみならず凹凸等の種々の曲面であってもよい。
【００３１】
１３は図１（ｃ）に示した閉曲線７に相当する閉曲線の間隙であり、図２（ａ）の例ではこの閉曲線の間隙１３をもって、その閉曲線の形状の内周を有する外側電極としての導体線１４ａと、その閉曲線の形状の外周を有する内側電極としての導体線１４ｂとが、誘電体１２の同一面上でその端面同士を対向させて配設されており、これにより導体線１４ａの端面と導体線１４ｂの端面との間で容量を形成している。また、図２（ｂ）の例では、同様の閉曲線の間隙１３をもって、その閉曲線の形状の内周を有する外側電極としての導体層１６ａと、その閉曲線の形状の外周を有する内側電極としての導体層１６ｂとが、誘電体１２の同一面上でその端面同士を対向させて配設されており、これにより導体層１６ａの端面と導体層１６ｂの端面との間で容量を形成している。
【００３２】
このように、本発明のコンデンサにおいて誘電体の同一面上で対向配置させる外側電極と内側電極の２つの電極は、図２（ａ）に示すように閉曲線の間隙１３に沿った内周形状および外周形状を有する２本の導体線１４ａ・１４ｂとしてもよく、あるいは図２（ｂ）に示すようにその２本の導体線を端部としたような２つの導体層１６ａ・１６ｂとしてもよい。そのいずれの場合であっても、コンデンサの容量は閉曲線の間隙１３を介して対向し合った端面の部分で発生するため、本発明のコンデンサとして機能するものとなる。
【００３３】
また、２つの電極１４ａ・１４ｂおよび１６ａ・１６ｂを外部またはその誘電体１２の内部に形成された電気回路・電子回路と電気的に接続するには、図２（ａ）および（ｂ）に示すようにそれぞれの電極１４ａ・１４ｂおよび１６ａ・１６ｂにリード線やボンディングワイヤ等の導体線１５ａ・１５ｂを接続したり、電極端子を取着もしくは圧接したり、あるいは誘電体１２の内部に配設したビア導体やスルーホール導体等の貫通導体を接続したりすればよく、仕様に応じて適当な電気的接続手段を用いればよい。
【００３４】
次に、図３により本発明の実施の形態の他の例を説明する。図３（ａ）〜（ｃ）は、それぞれ本発明のコンデンサの実施の形態の他の例を説明する平面図である。
【００３５】
図３（ａ）は図１（ａ）と同様の０次の閉曲線を示すものであり、正方形の枠２１内に、この枠２１の２つの対角線２２に対して線対称な閉曲線２３を配置する。ここでは閉曲線２３として八角形を例示しており、この場合もさらに枠の中心点を原点として相対向する２辺に平行にｘ軸を、このｘ軸に垂直にｙ軸を配置した場合（それぞれ一点鎖線で示す）、これらｘ軸およびｙ軸に対しても線対称となっている。但し、このようにｘ軸およびｙ軸に対しても線対称であることは必要な条件ではなく、このことは図１の例においても同じである。
【００３６】
図３（ａ）の場合でも、このような単純な閉曲線２３では、本発明のコンデンサにより実現しようとする高い容量値は得られないので、この閉曲線２３も仮に０次の閉曲線とする。
【００３７】
次に、図３（ｂ）に示すように、この枠２１を４つ正方形状に隙間なく並べて正方形の枠２４とし、各々の閉曲線２３の新たな正方形の枠２４の２つの対角線２５と原点側で交わる部位に、その交点の周りを対角線２５に対して線対称にくり抜いて開口部を形成するとともに、互いに隣接する閉曲線２３の開口部のそれぞれの端部同士を対角線２５に対して線対称である４つの補助曲線２６、例えば直角に曲がった屈曲線等で接続して新たな閉曲線２７を形成する。これも仮に１次の閉曲線とすると、この閉曲線２７の長さは、４つの閉曲線２３の長さの和とほぼ等しくなる。
【００３８】
これにより、正方形の枠２４内に配置され、この枠２４の２つの対角線２５に対して線対称な閉曲線２７が得られる。本発明のコンデンサに対しては、例えばこの閉曲線２７が条件（１）を満たす閉曲線となる。
【００３９】
次に、この図３（ｂ）に示す閉曲線２７を用いて、図３（ｃ）に示すように、その正方形の枠２４を４つ正方形状に並べて正方形の大枠２８を形成し、この大枠２８内の各々の枠２４内に配置した閉曲線２７の大枠２８の対角線２９と大枠２８の中心点側で交わる部位に対角線２９に対して線対称に開口部を形成するとともに、互いに隣接する閉曲線２７の開口部の端部同士を大枠２８の２つの対角線２９に対して線対称な４つの補助曲線３０で接続する。これも仮に２次の閉曲線とする。
【００４０】
この結果、正方形の大枠２８内に配置された、大枠２８の２つの対角線２９に対して線対称な閉曲線３１が得られる。本発明のコンデンサに対しては、例えばこの閉曲線３１が条件（２）を満たす閉曲線となる。
【００４１】
これにより、図１に示した例と同様に、枠２４あるいは大枠２８を縮小または拡大する倍率を任意に設定することにより、あるいは枠２４内または大枠２８内の少なくとも一部を縮小または拡大することにより所定の規則性をもって配置した閉曲線を平面上で変形させ、または曲面上に変形させて配置した閉曲線とすることによって、その結果得られた閉曲線の形状の内周を有する外側電極の内周の端面と、同じ形状の外周を有する内側電極の外周の端面とを、その閉曲線の形状の間隙をもって対向配置させることにより、所望の任意の容量値を有する２次元形状のコンデンサを得ることができる。
【００４２】
次に、図４により本発明の実施の形態のさらに他の例を説明する。図４（ａ）〜（ｃ）は、それぞれ本発明のコンデンサの実施の形態の他の例を説明する平面図である。
【００４３】
図４（ａ）は図１（ｂ）および図３（ｂ）と同様の１次の閉曲線、すなわち本発明のコンデンサに対して条件（１）を満たす閉曲線を示すものであり、正方形の枠４１内に配置された、この枠４１の２つの対角線４２に対して線対称な閉曲線４３である。
【００４４】
次に、図４（ｂ）に示すように、この枠４１を４つ正方形状に隙間なく並べて正方形の大枠４４とし、各々の閉曲線４３の新たな正方形の大枠４４の２つの対角線４５と原点側で交わる部位に、その交点の周りを対角線４５に対して線対称にくり抜いて開口部を形成するとともに、互いに隣接する閉曲線４３の開口部のそれぞれの端部同士を対角線４５に対して線対称である４つの補助曲線４６、例えばほぼ直角に近い曲線等で接続して新たな閉曲線４７を形成する。これは２次の閉曲線に相当し、この閉曲線４７の長さは、４つの１次の閉曲線４３の長さの和とほぼ等しくなる。
【００４５】
これにより、正方形の大枠４４内に配置され、この大枠４４の２つの対角線４５に対して線対称な閉曲線４７が得られる。本発明のコンデンサに対しては、この閉曲線４７は条件（２）を満たす閉曲線となる。
【００４６】
次に、この図４（ｂ）に示す閉曲線４７を用いて、図４（ｃ）に示すように、その大枠４４を条件（１）にいう正方形の枠とみなして４つ正方形状に並べて正方形の大枠４８を形成し、この大枠４８内の各々の枠４４内に配置した閉曲線４７の大枠４８の対角線４９と大枠４８の中心点側で交わる部位に対角線４９に対して線対称に開口部を形成するとともに、互いに隣接する閉曲線４７の開口部の端部同士を大枠４８の２つの対角線４９に対して線対称な４つの補助曲線５０で接続する。これは仮に３次の閉曲線となる。
【００４７】
この結果、正方形の大枠４８内に配置された、大枠４８の２つの対角線４９に対して線対称な閉曲線５１が得られる。本発明のコンデンサに対しては、この閉曲線５１も条件（２）を満たす閉曲線となる。
【００４８】
これにより、図１および図３に示した例と同様に、枠４１あるいは大枠４４・４８を縮小または拡大する倍率を任意に設定することにより、あるいは枠４１内または大枠４４・４８内の少なくとも一部を縮小または拡大することにより所定の規則性をもって配置した閉曲線を平面上で変形させ、または曲面上に変形させて配置した閉曲線とすることによって、その結果得られた閉曲線の形状の内周を有する外側電極の内周の端面と、同じ形状の外周を有する内側電極の外周の端面とを、その閉曲線の形状の間隙をもって対向配置させることにより、所望の任意の容量値を有する２次元形状のコンデンサを得ることができる。
【００４９】
以上のようにして得られる本発明のコンデンサは、誘電体の表面上において２つの電極が対向配置されてその間隙に空気を介在させて形成される場合のみならず、その間隙に誘電体を充填させてもよく、多層回路基板の内部の誘電体層の同一面上に形成して、２つの電極の間隙をその上に位置する誘電体層や他の誘電体材料で充填させてもよいことは言うまでもない。
【００５０】
なお、本発明は以上の例に限定されるものではなく、本発明の要旨を逸脱しない範囲で種々の変更や改良を加えることは何ら差し支えない。例えば、このような閉曲線の形状の間隙に対して閉曲線に沿った貫通導体を並べて、容量値をさらに高めることもできる。
【００５１】
【発明の効果】
本発明のコンデンサによれば、誘電体の面上で、上記（１）〜（３）の少なくとも１つの条件を満たす閉曲線の形状の内周を有する外側電極の内周の端面とその閉曲線の形状の外周を有する内側電極の外周の端面とを、その閉曲線の形状の間隙をもって対向させて配設したことから、限られた面積の正方形の平面上あるいはその正方形を変形させた平面上または曲面上に、２つの電極の端面同士が対向する長さを上記の各閉曲線の形状として極めて長くかつ任意に設定することができ、２次元の形状でありながら２．５  次元形状のコンデンサ以上の高い容量値を得ることができる。
【００５２】
また、本発明のコンデンサによれば、上記の条件（１）を基本として条件（２）を適用することにより、正方形の枠と大枠との面積を同じとした場合にはほぼ２倍の長さで電極の端面同士を対向配置することができ、さらに縮小または拡大する倍率を適当に設定することによって、高い容量値のコンデンサを容易に実現することができる。さらにまた、条件（３）を適用することにより誘電体の平坦面上のみならず凹凸等の種々の曲面上にも所望の容量値のコンデンサを容易に実現することができる。
【００５３】
さらに、本発明のコンデンサによれば、誘電体の同一面上に２つの電極の所定の形状の端面同士を対向配置することにより構成されていることから、これら電極は厚膜印刷技術や薄膜形成技術といった回路基板の製造に容易に適用できる技術でもって形成することができるので、各種の回路基板に対してその表面や内部の誘電体層上に高集積化や高密度実装化に対応して形成することができ、しかも最小の次元である２次元形状で、より次元の高い形状のコンデンサと同等以上の高い容量値を実現することができる。
【図面の簡単な説明】
【図１】（ａ）〜（ｄ）は、それぞれ本発明のコンデンサの実施の形態の一例を説明するための平面図である。
【図２】（ａ）および（ｂ）は、それぞれ本発明のコンデンサの実施の形態の一例を示す平面図である。
【図３】（ａ）〜（ｃ）は、それぞれ本発明のコンデンサの実施の形態の他の例を説明するための平面図である。
【図４】（ａ）〜（ｃ）は、それぞれ本発明のコンデンサの実施の形態の他の例を説明するための平面図である。
【符号の説明】
４、２４、４１・・・・・・・・・・・枠
５、９、２５、２９、４５、４９・・・・・対角線
６、１０、２６、３０、４６、５０・・・・・補助曲線
７、１１、２７、３１、４３、４７、５１・・・閉曲線
８、２８、４４、４８・・・・・・・・・大枠
１２・・・・・・・・・・・・・・・誘電体
１４ａ・・・・・・・・・・・・・・導体線（外側電極）
１４ｂ・・・・・・・・・・・・・・導体線（内側電極）
１６ａ・・・・・・・・・・・・・・導体層（外側電極）
１６ｂ・・・・・・・・・・・・・・導体層（内側電極）
【図１】
0003610222.tif 000002
【図２】
0003610222.tif 000003
【図３】
0003610222.tif 000004
【図４】
0003610222.tif 000005